(57)【要約】【課題】健康作りをサポートする機能あるいは間接照明機能を備え、寝室あるいは居室に設置できる洗面化粧台を提供する。【解決手段】ハーフミラーの裏面に映像表示装置９の映像出力面を接合してなる鏡板３を備えた洗面化粧台１において、洗面化粧台１の前面全域を覆うことのできるハーフミラー扉８を開閉可能に設け、このハーフミラー扉８を閉じた状態で、映像表示装置９のレッスン映像等を見ながらハーフミラー扉８に全身を映して全身運動が行えるように構成する。【選択図】図１
2009261630.tif 000002
【特許請求の範囲】
【請求項１】
ハーフミラーの裏面に映像表示装置の映像出力面を接合してなる鏡板を備えた洗面化粧台において、
該洗面化粧台の前面全域を覆うことのできるハーフミラー扉を開閉可能に設け、
該ハーフミラー扉を閉じた状態で前記映像表示装置の映像を見ることができるように構成した
ことを特徴とする洗面化粧台。
【発明の詳細な説明】
【技術分野】
【０００１】
本発明は、居室や寝室にすっきりとした状態で設置でき、しかも、健康作りをサポートする機能を備えた洗面化粧台に関するものである。
【背景技術】
【０００２】
従来、特許文献１に開示されているようなドレッサーが存在する。
即ち、このドレッサーは、映像表示装置の映像出力面を接合してなる鏡板と、映像表示装置への映像表示を行わせる映像出力装置と、この映像出力装置に映像供給源として接続される記録媒体および撮影用カメラと、これら記録媒体およびカメラによる背景映像，服装映像およびカメラ映像を単独で、または相互に組み合わせて映像表示装置に表示させる制御装置とを備え、前面には開閉可能に扉が屏風状に設けられている。
このドレッサーにおいては、使用者が自分の姿を第３者から見える客観的な実像の状態で各種の方向から視認できるとともに、服装と外出先の背景との適合性判断を容易に行えるものとしている。
【特許文献１】特開平５−１９２２３３号公報
【発明の開示】
【発明が解決しようとする課題】
【０００３】
上記特許文献１に開示されているドレッサーでは、前面に開閉可能に扉が設けられているが、この扉はドレッサーを完全に隠すためのものであり、この従来のドレッサーには健康作りをサポートする機能や、寝室等のインテリアとしての間接照明機能は備えられていないものであった。
【課題を解決するための手段】
【０００４】
本発明は、寝室等に設置した場合のインテリアとしての意匠性を向上させることができ、また、間接照明効果が得られ、さらに、健康作りをサポートする機能を備えた洗面化粧台の提供を目的の１つとし、この目的の少なくとも一部を達成するために以下の手段を採った。
本発明は、ハーフミラーの裏面に映像表示装置の映像出力面を接合してなる鏡板を備えた洗面化粧台において、該洗面化粧台の前面全域を覆うことのできるハーフミラー扉を開閉可能に設け、該ハーフミラー扉を閉じた状態で前記映像表示装置の映像を見ることができるように構成したことを要旨とする。
【発明の効果】
【０００５】
本発明の洗面化粧台では、ハーフミラー扉を閉じることにより、洗面化粧台の機能部を全て隠して、寝室あるいは居室に設置した場合の室内の意匠性を向上させることができるものとなり、また、ハーフミラー扉に全身を映して姿見として使用することができ、また、ハーフミラー扉に全身を映し出しながら映像表示装置から出力されるレッスン映像等を見ることができ、レッスン映像を見ながらハーフミラー扉に全身を映し出して、ヨガやピラティスなどの全身を使った運動を行うことができ、健康作りに役立つものとなる。
【発明を実施するための最良の形態】
【０００６】
次に、本発明を実施するための最良の形態を実施例を用いて説明する。
図１は、洗面化粧台におけるハーフミラー扉を開けた状態の斜視構成図であり、また図２は、ハーフミラー扉を閉じた状態の洗面化粧台の斜視図である。さらに図３は、ハーフミラー扉を角度を付けた傾斜状に開けて、全身を映し出す三面鏡として使用する場合の斜視構成図である。
【０００７】
図において、洗面化粧台１はリビングあるいは寝室に設置できるように構成されており、壁面等に固定できるフレーム２が板状に立設されており、このフレーム２の下部部位等は透明あるいは半透明のアクリル板２ａで構成されている。
フレーム２の上部前面には、ハーフミラーで構成された鏡板３が設けられており、この鏡板３の裏側には映像表示装置９の映像出力面が接合されている。また、鏡板３の裏側の左右端側に照明ランプ１０ａ，１０ｃが縦方向に設けられており、また、鏡板３の裏側の上部には水平状に照明ランプ１０ｂが設けられている。
【０００８】
この鏡板３の下方には、カウンター４のバックガード４ａが立ち上げられて配設されており、カウンター４およびバックガード４ａは透明あるいは乳白色のアクリル素材で形成されている。また、バックガード４ａの奥側にはクロス（布）が垂設されており、その裏側に水平方向に照明ランプ１２が配設されている。
カウンター４の左端側には深さ５０ｍｍ程度のシンク５が形成されており、このシンク５内に水を溜めることができ、シンク５内の水は片流れで排水できるように底側が傾斜して形成されている。このシンク５に湯水を供給するために、鏡板３の下端裏側に、吐水口１５が設けられており、吐水口１５から滝のように水が流れて、シンク５へ給水できるように構成されている。
【０００９】
また、カウンター４内にも複数本の照明ランプ１３，１３が設けられている。また、カウンター４の下方のアクリル板２ａの裏側にも照明ランプ１４が設けられており、このアクリル板２ａの裏側にもクロスが垂設されている。
なお、鏡板３の上端には横方向に通常の上部照明器１１が設けられており、この上部照明器１１もクロスで覆うことができるように構成されている。
【００１０】
鏡板３の図示右端には、左側面が開放された箱状のオープン棚６が連続状に立設されており、このオープン棚６は、その前面の前板６ａはアルミニウムにアルマイト着色した不透明な素材で構成されており、右端縁の奥側板６ｂは、例えば赤色の透光板で構成されている。また、オープン棚６内には二段に間隔をおいて透明アクリル製の棚板６ｃ，６ｃが設けられており、この各棚板６ｃ，６ｃ上に鏡板３側から備品を出し入れできるように構成されている。
このオープン棚６の前板６ａの左端に縦方向にヒンジ７が設けられており、このヒンジ７にハーフミラー扉８が連結されて、ヒンジ７を介しハーフミラー扉８が水平面内で開閉できるように構成されている。ヒンジ７はクロムメッキされており、ハーフミラー扉８はアクリル素材で形成されている。
【００１１】
このハーフミラー扉８は、図２のように閉じた状態、即ちカウンター４の前面にほぼ当接状態にして閉じた状態では、カウンター４，鏡板３等の洗面化粧台１の機能部を全て隠すことのできるような寸法形状に設定されている。
なお、図において、図中１６は吐水口１５からの吐水を調整する、即ち吐水の温度，流量および開閉を操作するそれぞれの水栓ハンドルである。また、その側方のカウンター４上には、取り外し可能にスティックタイプのＣＣＤカメラ１７が設けられている。
なお、本例の洗面化粧台１では、鏡板３の裏側に多数のＬＥＤランプ１９が配設されたものとなっている。
なお、カウンター４の右端側下方には扉付きの収納部１８が設けられており、掃除具等を収納しておくことができるものである。
【００１２】
次に、このように構成された洗面化粧台の作用効果を説明する。
図１のようにハーフミラー扉８を開けた状態では、通常の洗面化粧台と同様に、シンク５内に水を溜めて洗面等を行うことができ、鏡板３に顔を映して化粧行為等を良好に行うことができるものである。
【００１３】
図１の状態で照明ランプ１０ａ，１０ｂ，１０ｃを点灯させることにより、また照明ランプ１２をも点灯させることで、鏡板３に映る顔全体を明るく照らすことができ、特に、首筋とか顎下など影になりやすい部分を明るく照らすことができるものであり、化粧を良好に行うことができるものとなる。
さらに映像表示装置９をＯＮして、例えば映像表示装置９に顔のマッサージのレッスン映像を映し出せば、このレッスン映像を見ながら、鏡板３に映る自分の顔をレッスン映像に従ってマッサージなどすることができ、フェイシャルケアを有効に行うことができるものとなる。
【００１４】
また、ＣＣＤカメラ１７をカウンター４から取り外して、このＣＣＤカメラ１７からのカメラ映像を映像表示装置９に表示させることもでき、例えば見えにくい身体の部位をＣＣＤカメラ１７を介して映像表示装置９で確認することができるものとなる。さらに、ＣＣＤカメラ１７が顕微鏡レンズ付きのものであれば、頭皮や皮膚の状態を映像表示装置９の映像で良好にチェックすることができるものとなる。
その他、ＣＣＤカメラ１７を利用して、背中や後姿を映像表示装置９の映像として映し出すことができる。
【００１５】
また、照明ランプ１０ａ，１０ｂ，１０ｃ等、あるいは映像表示装置９はＯＦＦ状態として、ＬＥＤランプ１９を点灯させ、このＬＥＤランプ１９が動体視力訓練器具として動作するように制御装置を組み込んでおけば、例えば点灯した１つのＬＥＤランプ１９の位置を前面側から手で触った時に、別の個所のＬＥＤランプ１９が点灯するように構成して、次々にＬＥＤランプ１９の点灯個所が変わり、手で次々と触って反射神経を訓練することができるものとなり、老化防止に役立つものとなる。
また、更には、多数のＬＥＤランプ１９をゲームソフトを格納した制御装置に連繋させて、ＬＥＤランプ１９の点灯で大画面のゲーム機としても鏡板３を使用することができるものとなる。
【００１６】
なお、図２のように、ハーフミラー扉８を閉じて、洗面化粧台１の前面をハーフミラー扉８で覆い隠した状態では、カウンター４や鏡板３が隠蔽され、前面側から見た場合は、ハーフミラー扉８とオープン棚の前板６ａのみが視認されて、細やかな操作部や機能部、また、化粧品のボトルなど常時露出しやすい収納物が全て隠れるので、極めてすっきりとし、寝室や居室の意匠性が向上するものとなる。
また、ハーフミラー扉８を閉じた状態で、ハーフミラー扉８の前面に立ち、ハーフミラー扉８に全身を映し出して、ハーフミラー扉８を姿見として使用することもでき、また、更には、ハーフミラー扉８を閉じた状態で、映像表示装置９からヨガやピラティスなどのレッスン映像を表示させれば、ハーフミラー扉８を通してこの映像表示装置９のレッスン映像を見ることができ、レッスン映像を見ながらハーフミラー扉８に全身を映し出し、レッスン映像に従ってハーフミラー扉８の前でヨガやピラティスなど全身を使った運動を行うことができ、健康作りをサポートすることができる。
【００１７】
また、ハーフミラー扉８を閉じた状態で、照明ランプ１３あるいは１４，１２等を点灯させれば、ハーフミラー扉８を通して間接照明光が寝室内等に供給され、インテリアライトとして寝室内を良好に演出できるものとなる。
なお、アクリル板２ａの裏側あるいは上部照明器１１にクロスを用いている場合には、クロスにより柔らかい光となり、より良好な間接照明効果が得られるものとなる。
【００１８】
さらに、照明ランプ１０ａ，１０ｂ，１０ｃ等も同時に点灯させて、より変化した間接照明光を得ることができ、オープン棚９の棚板６ｃおよび奥側板６ｂを通しても、間接照明光が外部に出て、奥側板６ｂが赤色の透光板である場合には赤色の間接照明光が外側へ出ることとなる。
その他、照明ランプ１０ａ，１０ｂ，１０ｃ，１２，１３，１４は単独でＯＮ，ＯＦＦできるように構成しておき、何れかの照明ランプあるいは複数の照明ランプを選択して点灯させることで、変化のある間接照明が好みにより得られるものとなり、寝室等のインテリアライトとして良好に機能させ、光の演出を行うことができるものである。なお、照明ランプ１０ａ，１０ｂ，１０ｃ，１２，１３，１４は蛍光灯の他、ハロゲンランプ，ＬＥＤランプ，白熱灯などでも良く、また、これらの組み合わせでも良い。
【００１９】
なお、図３のように、ハーフミラー扉８を鏡板３に対し傾斜状に開けて、鏡板３とハーフミラー扉８を使い、三面鏡として全身を映し出して、外出前の服装のチェック等を良好に行うことができる。
【００２０】
このように本例の洗面化粧台１は、洗面化粧台としての機能を備えており、洗面等が行えるとともに、美容あるいは健康増進器具としても使用することができ、さらにハーフミラー扉８を閉じれば極めてすっきりとした外観を呈して、居室あるいは寝室内等に設置した場合の違和感がなく、居室や寝室の意匠性を良好に維持することができ、しかもハーフミラー扉８に全身を映して姿見として使用することもでき、更には、映像表示装置９にレッスン映像を映し出してヨガやピラティスなどの全身を使った健康作りに利用することができ、更にはハーフミラー扉８を閉じた状態でランプ等を点灯させて良好な間接照明を得ることができて、寝室や居室のインテリアライトとして有効に使用することができるものとなる。
【００２１】
なお、図４に示す洗面化粧台は、更に広い居室内等に設置できるように構成したものであり、カウンター４のシンク５よりも左側を外側へ延出させて、この延出させたカウンター４上を事務机として使用したり、また花置き台等として利用できるようにしたものであり、より豪華な仕様となっている。なお、カウンター４の延出させる方向はシンク５の右側であっても左右両側であっても良い。
なお、その他の構成および作用効果は図１のものと同様であり、同一部材についは同一符号を付してその説明は省略する。
【図面の簡単な説明】
【００２２】
【図１】洗面化粧台のハーフミラー扉を開けた状態の斜視構成図である。
【図２】ハーフミラー扉を閉じた状態の洗面化粧台の斜視構成図である。
【図３】ハーフミラー扉を傾斜状に開けて全身を映し出す三面鏡として使用する場合の斜視構成図である。
【図４】カウンターを外方向へ延出させた構成の洗面化粧台の斜視構成図である。
【符号の説明】
【００２３】
１  洗面化粧台
２  フレーム
２ａ  アクリル板
３  鏡板
４  カウンター
４ａ  バックガード
５  シンク
６  オープン棚
６ａ  前板
６ｂ  奥側板
６ｃ  棚板
７  ヒンジ
８  ハーフミラー扉
９  映像表示装置
１０ａ，１０ｂ，１０ｃ  照明ランプ
１１  上部照明器
１２，１３，１４  照明ランプ
１５  吐水口
１６  水栓ハンドル
１７  ＣＣＤカメラ
１９  ＬＥＤランプ
【図１】
2009261630.tif 000003
【図２】
2009261630.tif 000004
【図３】
2009261630.tif 000005
【図４】
2009261630.tif 000006